(57)【要約】【課題】ゴミ容器内に開口起立した状態に装着されたゴミ袋やレジ袋を安定に保持することができ、ゴミ袋などとゴミ容器の内周面との間に隙間が生じることがなく、ゴミ容器に対する着脱並びにゴミ袋などの着脱も容易なゴミ袋支持具を提供する。【解決手段】ゴミ袋保持具１０は、円形リング状の支持部１１と、支持部１１の外周に所定間隔ごとに設けられた４個のフック１２ａ，１２ｂと、を備えている。支持部１１の内径は、有底筒状のゴミ容器の最小外径より大であり、最大外径より小であるため、ゴミ容器支持具１０は、ゴミ容器１の外周を包囲するように装着可能である。ゴミ袋支持具１０においては、４個のフック１２ａ，１２ｂが、支持部１１の仮想中心軸線１１ｃを中心にして支持部１１の周方向に沿って９０度間隔に配置されている。【選択図】図１
0003220678.tif 000002
【実用新案登録請求の範囲】
【請求項１】
有底筒状のゴミ容器の最大外径より小さい内径を有し、前記ゴミ容器の外周を包囲するように装着可能な円形リング状若しくは多角形リング状の支持部と、前記支持部の外周に所定間隔ごとに設けられた複数のフック若しくはクリップと、を備えたゴミ袋支持具。
【請求項２】
有底筒状のゴミ容器の最大外径より大きい内径を有し、前記ゴミ容器の外周を包囲するように装着可能な円形リング状若しくは多角形リング状の支持部と、前記支持部の少なくとも一部に前記支持部の中心に向かって突設された係止部と、前記支持部の外周に所定間隔ごとに設けられた複数のフック若しくはクリップと、を備えたゴミ袋支持具。
【請求項３】
前記フック若しくは前記クリップが、前記支持部の仮想中心軸線を中心にして前記支持部の周方向に沿って９０度間隔に配置された請求項１または２記載のゴミ袋支持具。
【請求項４】
少なくとも前記支持部が弾性を有する合成樹脂材で形成された請求項１〜３の何れかの項に記載のゴミ袋支持具。
【請求項５】
前記支持部の一部に、前記支持部の周方向に離隔接近可能な切れ目を備えた請求項１〜４の何れかの項に記載のゴミ袋支持具。
【考案の詳細な説明】
【技術分野】
【０００１】
本考案は、ゴミ容器の内部に敷き詰めるように装着したゴミ袋を一定姿勢に保つために使用するゴミ袋支持具に関する。
【背景技術】
【０００２】
一般家庭において使用されている地方公共団体指定のゴミ袋は、単独で使用されることは少なく、例えば、その開口部を開いた状態でゴミ容器の内部に敷き詰めるように装着して使用されることが多く、また、コンビニやスーパーで支給されるレジ袋なども、前記と同様、ゴミ容器の内部に装着してゴミ袋として再利用されることが多い。
【０００３】
従来のゴミ袋やレジ袋は、サイズは大小異なるものの、その殆どが図１７に示すような形状を備えている。図１７に示すように、ゴミ袋９１は、チューブ状の合成樹脂シートを横断方向に封止、切断することによって形成された底部９２及び袋本体９３と、物品を出し入れするための開口部９３ａと、を備え、開口部９３ａの両側には一対の手提げ部９４，９４が対向状態に形成され、手提げ部９４，９４の間に位置する開口部９３ａには一対の結び用突片９５，９５が対向状態に延設されている。
【０００４】
図１７に示すように、ゴミ袋９１を使用する場合、ゴミ袋９１の袋本体９３の開口部９３ａを開いた状態で、底部９２を下にして、有底筒状のゴミ容器９６内に敷き詰めるように装着し、開口部９３ａの周縁部９３ｂ、手提げ部９４，９４及び結び用突片９５，９５を、ゴミ容器９６の開口部９６ａの周縁部９６ｂの外周側へ広げるとともに、下方へ折り返し、ゴミ袋９１をゴミ容器９６内に起立させた状態にして使用することが多い。
【０００５】
また、ゴミ容器９６の開口部９６ａの周縁部９６ｂに蓋体（図示せず）を係止するための突状部９６ｃ，９６ｃが形成されている場合は、ゴミ容器９６内に装着したゴミ袋９１の手提げ部９４，９４をそれぞれ突状部６ｃ，６ｃに引き掛けることが多い。
【０００６】
一方、本考案に関連する先行技術として、例えば、特許文献１に記載された「ゴミ袋をゴミ箱に綺麗に装着できる長尺の帯状の留め具とその係止具」、特許文献２に記載された「ごみ袋」並びに特許文献３に記載された「ゴミ袋」などがある。
【０００７】
特許文献１には、開口部が円形であるゴミ箱にゴミ袋を装着するときに、ゴミ袋の端部がゴミ箱からはみ出ないように装着できる帯状の留め具と、この留め具を丸めて円形のリングを作ったときに留め具をリング状態に保持するためのクリップ（係止具、係止部）が記載されている。
【０００８】
引用文献２には、下部に底シールを設けた袋体の開口側上部に一対の結び用突片を延設し、これら結び用突片ないし袋体開口部分にわたる領域に、引き掛け用穴を形成したごみ袋が記載されている。
【０００９】
引用文献３には、ゴミ箱用合成樹脂容器の開口部周縁に形成された蓋体用係止部に対応するように、袋体の開口部近辺に係止穴を形成したゴミ袋が記載されている。
【先行技術文献】
【特許文献】
【００１０】
【特許文献１】特開２０１７−１９６６２号公報
【特許文献２】特開２００１−１０６３０１号公報
【特許文献３】登録実用新案公報第３００９５５５号公報
【考案の概要】
【考案が解決しようとする課題】
【００１１】
図１７に基づいて説明したように、ゴミ袋９１をゴミ容器９６内に敷き詰めるように装着した場合、ゴミ容器９６の周縁部９６ｂに沿って広げられた袋本体９３の開口部９３ａは、手提げ部９４，９４をそれぞれ突状部９６ｃ，９６ｃに引き掛けることによって開放状態に保たれている。
【００１２】
しかし、ゴミ袋９１に投入されたゴミの重さにより、ゴミ袋９１の底部９２がゴミ容器９６の底面９６ｄ全体に広がっていくと、袋本体９３の開口部９３ａの一部分、特に、突状部９６ｃ，９６ｃに引き掛けた手提げ部９４，９４から離れた部分が、ゴミ容器９６内に引き込まれ、開口部９３ａが狭まったり、閉じたりすることが多い。袋本体９３の開口部９３ａが狭まったり、閉じたりすると、ゴミ投入するときに、ゴミを持っていない方の手で開口部９３ａを開くか、一旦、ゴミを何処かに置いて、空いた手で開口部９３ａを開いた後、ゴミを投入しなければならないので、ゴミ投入作業が非常に煩雑である。
【００１３】
また、ゴミ投入時に開口部９３ａの開きが不十分であると、ゴミ袋９１の袋本体９３とゴミ容器９６の内周面９６ｅとの間に隙間が生じて、この隙間にゴミが落下することもあるので、その後、面倒な回収作業をしなければならなくなる。特に、前記隙間に生ゴミなどの水分を含むゴミ類が落下すると、回収が面倒であるだけでなく、袋本体９３の外面や、ゴミ容器９６の底面９６ｄや内周面９６ｅにゴミが付着したり、ゴミによって汚損したりするので、その清掃作業も必要となる。
【００１４】
このような問題は、ゴミ容器９６のサイズ（容積、深さなど）に比べてゴミ袋９１のサイズが小さい場合、あるいは、ゴミ容器９６に突状部９６ｃが形成されていない場合において顕著に現れる。
【００１５】
一方、特許文献１に記載された留め具並びに係止具はゴミ容器に対するゴミ袋の着脱作業が非常に煩雑である。また、この留め具並びに係止具は、四角筒形状のゴミ容器に対して使用した場合、ゴミ容器の内周面の四隅部分と留め具との間に隙間が生じることがあり、この隙間にゴミが落下する可能性をなくすことができない。
【００１６】
また、特許文献２，３に記載されたごみ袋（ゴミ袋）は、ごみ収容容器（ゴミ箱用合成樹脂製容器）が４つの蓋係合突部（蓋用係止部）を具備しているときに安定保持機能を発揮するようになっている。従って、図１７に示すような、二つの突状部６ｃ，６ｃしか有していない一般的なゴミ容器６に装着した場合には安定的に保持されない。さらに、特許文献２，３に記載されたごみ袋（ゴミ袋）は、現在、定型化された状態で全国的に広く行き渡っているごみ袋（レジ袋）と置き代って使用される可能性も低い。
【００１７】
そこで、本考案が解決しようとする課題は、ゴミ容器内に開口起立した状態に装着されたゴミ袋やレジ袋を安定に保持することができ、ゴミ袋などとゴミ容器の内周面との間に隙間が生じることがなく、ゴミ容器に対する着脱並びにゴミ袋などの着脱も容易なゴミ袋支持具を提供することにある。
【課題を解決するための手段】
【００１８】
本考案に係る第１のゴミ袋支持具は、有底筒状のゴミ容器の最大外径より小さい内径を有し、前記ゴミ容器の外周を包囲するように装着可能な円形リング状若しくは多角形リング状の支持部と、前記支持部の外周に所定間隔ごとに設けられた複数のフック若しくはクリップと、を備えたことを特徴とする。
【００１９】
本考案に係る第２のゴミ袋支持具は、有底筒状のゴミ容器の最大外径より大きい内径を有し、前記ゴミ容器の外周を包囲するように装着可能な円形リング状若しくは多角形リング状の支持部と、前記支持部の少なくとも一部に前記支持部の中心に向かって突設された係止部と、前記支持部の外周に所定間隔ごとに設けられた複数のフック若しくはクリップと、を備えたことを特徴とする。
【００２０】
前記ゴミ袋支持具においては、前記フック若しくは前前記クリップが、前記支持部の仮想中心軸線を中心にして前記支持部の周方向に沿って９０度間隔に配置されたものとすることができる。
【００２１】
前記ゴミ袋支持具においては、少なくとも前記支持部が弾性を有する合成樹脂材で形成されたものとすることができる。
【００２２】
前記ゴミ袋支持具においては、前記支持部の一部に、前記支持部の周方向に離隔接近可能な切れ目を備えたものとすることができる。
【考案の効果】
【００２３】
本考案により、ゴミ容器内に開口起立した状態に装着されたゴミ袋やレジ袋を安定に保持することができ、ゴミ袋などとゴミ容器の内周面との間に隙間が生じることがなく、ゴミ容器に対する着脱並びにゴミ袋などの着脱も容易なゴミ袋支持具を提供することができる。
【図面の簡単な説明】
【００２４】
【図１】本考案の第１実施形態であるゴミ袋支持具を示す斜視図である。
【図２】図１に示すゴミ袋支持具の仮想中心軸線を含む面における断面図である。
【図３】図１に示すゴミ袋支持具をゴミ容器に装着する過程を示す一部省略斜視図である。
【図４】図１に示すゴミ袋支持具をゴミ容器に装着した状態を示す一部省略斜視図である。
【図５】図４に示すゴミ容器及びゴミ袋支持具に装着する前のゴミ袋を示す一部省略正面図である。
【図６】図４に示すゴミ容器及びゴミ袋支持具に対して図５に示すゴミ袋を装着する過程を示す一部省略斜視図である。
【図７】図４に示すゴミ容器及びゴミ袋支持具に対して図５に示すゴミ袋を装着した状態を示す一部省略斜視図である。
【図８】本考案の第２実施形態であるゴミ袋支持具を示す斜視図である。
【図９】図８に示すゴミ袋支持具の仮想中心軸線を含む面における断面図である。
【図１０】図８に示すゴミ袋支持具をゴミ容器に装着する過程を示す一部省略斜視図である。
【図１１】本考案のその他の実施形態であるゴミ袋支持具を示す一部省略斜視図である。
【図１２】本考案のその他の実施形態であるゴミ袋支持具を示す一部省略斜視図である。
【図１３】本考案のその他の実施形態であるゴミ袋支持具を示す一部省略斜視図である。
【図１４】本考案のその他の実施形態であるゴミ袋支持具を示す一部省略斜視図である。
【図１５】本考案のその他の実施形態であるゴミ袋支持具を示す一部切欠正面図である。
【図１６】図１５に示すゴミ袋支持具の使用状態を示す一部省略正面図である。
【図１７】従来のゴミ袋をゴミ容器に装着する過程を示す一部省略斜視図である。
【考案を実施するための形態】
【００２５】
以下、図１〜図１６に基づいて、本考案の実施形態であるゴミ袋支持具１０，２０，３０，４０，５０，６０，７０について説明する。
【００２６】
初めに、図１〜図７に基づいて、本考案の第１実施形態であるゴミ袋支持具１０について説明する。図１，図２に示すように、ゴミ袋支持具１０は、円形リング状の支持部１１と、支持部１１の外周に所定間隔ごとに設けられた４個のフック１２ａ，１２ｂと、を備えている。支持部１１の内径１１ｄは、図３に示す有底筒状のゴミ容器１の最小外径Ｄ１より大であり、最大外径Ｄ２より小であるため、ゴミ袋支持具１０は、ゴミ容器１の外周４を包囲するように装着可能である（図４参照）。
【００２７】
ゴミ袋支持具１０においては、４個のフック１２ａ，１２ｂが、支持部１１の仮想中心軸線１１ｃを中心にして支持部１１の周方向に沿って９０度間隔に配置されている。仮想中心軸線１１ｃを挟んで対向するフック１２ａ，１２ａは支持部１１の一方の端面１１ａ（図２において下方に位置する端面１１ａ）寄りに配置され、仮想中心軸線１１ｃを挟んで対向するフック１２ｂ，１２ｂは支持部１１の他方の端面１１ｂ（図２において上方に位置する端面１１ｂ）寄りに配置されている。フック１２ａ，１２ｂは何れも一方の端面１１ａに向かって鉤状に曲がっている。
【００２８】
ゴミ袋支持具１０の材質は限定しないが、本実施形態においては、支持部１１及びフック１２ａ，１２ｂは弾性変形性を有する合成樹脂材料で形成されている。
【００２９】
ここで、図３〜図７に基づいて、ゴミ袋支持具１０の使い方などについて説明するが、使い方を限定するものではない。前述したように、ゴミ袋支持具１０の支持部１１の内径１１ｄは、ゴミ容器１の最小外径Ｄ１より大であり、最大外径Ｄ２より小であり、図３に示すように、ゴミ容器１の外観形状は倒立円錐台形状をなしているため、所定面（床面や地面など）に載置されたゴミ袋支持具１０の支持部１１内に対し、ゴミ容器１の底面２部分を入れるようにしてゴミ容器１を所定面に載置する。
【００３０】
ゴミ容器１の底面２部分が支持部１１内に入ったら、ゴミ袋支持具１０をゴミ容器１の開口部３に向かって持ち上げていくと、支持部１１の内周面１１ｅがゴミ容器１の外周４に当接して両者間に摩擦による係止力が生じた時点で、図４に示すように、ゴミ袋支持具１０は、その支持部１１がゴミ容器１の外周４を包囲した状態で装着される。
【００３１】
ゴミ袋支持具１０の支持部１１は周方向に連続しているが、図４に示すように、支持部１１の一部に切れ目１１ｓを設ければ、支持部１１の弾性変形性により、切れ目１１ｓは支持部１１の周方向に離隔接近可能となり、支持部１１の内径１１ｄは弾性的に拡大・復元可能となる。
【００３２】
従って、ゴミ袋支持具１０を、ゴミ容器１の開口部３に向かって持ち上げ、ゴミ袋支持具１０の支持部１１の内周面１１ｅがゴミ容器１の外周４に当接した後、切れ目１１ｓが若干開く程度まで支持部１１を持ち上げれば、支持部１１は、その弾性復元力によりゴミ容器１の外周４を締め付けた状態となるため、ゴミ容器１の外周４に対する支持部１１の係止力を高めることができる。
【００３３】
また、切れ目１１ｓを設けることにより、支持部１１の内径１１ｄが弾性的に拡大・復元可能となれば、ゴミ容器１より最大外径Ｄ２の大きなゴミ容器に対する装着適応性を高めることもできる。
【００３４】
次に、図５〜図７に基づいて、図４に示す状態にあるゴミ容器１及びゴミ袋保持具１０に対するゴミ袋の装着方法などについて説明する。前述したように、地方公共団体指定のゴミ袋などは、図１７に示すゴミ袋９１のような形状をしているが、このままの形状では図１に示すゴミ袋支持具１０に対する係止が不十分となるので、ゴミ容器１内に装着する前に、結び目用突片８４，８４に加工を施して、図５に示すゴミ袋８０のような状態とする。
【００３５】
詳しくは、図５に示すように、ゴミ袋８０において、袋本体８１の開口部８２側に設けられた二つの手提げ部８３，８３の間の周縁部８２ａ，８２ａから延設された二つの結び用突片８４，８４に、それぞれ切れ目８４ａ，８４ａを入れるとともに、切れ目８４ａ，８４ａより先端側に結び目８４ｂ，８４ｂを形成する。結び目８４ｂ，８４ｂは切れ目８４ａ，８４ａの先端側が破断するのを防止するためのものである。
【００３６】
次に、図６に示すように、ゴミ袋８０を、その底部８５を下にして、ゴミ容器１の内部に差し入れ、ゴミ袋８０をゴミ容器１内に敷き詰めるように装着した後、ゴミ容器１の周縁部６に沿って袋本体８１の開口部８２を広げ、手提げ部８３，８３の手提げ穴８３ａ，８３ａをそれぞれフック１２ａ，１２ａに引き掛けるとともに、結び用突片８４，８４の切れ目８４ａ，８４ａをそれぞれフック１２ｂ，１２ｂに引き掛けると、ゴミ袋８０は起立した状態のまま開口部８２は開放状態に保たれる。また、この状態において、ゴミ容器１に対する蓋体５の着脱も支障なく行うことができる。
【００３７】
ごみ袋支持具１０においては、フック１２ａ，１２ａは支持部１１の一方の端面１１ａ（図７において下方に位置する端面１１ａ）寄りに配置され、フック１２ｂ，１２ｂは支持部１１の他方の端面１１ｂ（図７において上方に位置する端面１１ｂ）寄りに配置されている。従って、図６に示すように、ゴミ袋８０の手提げ部８３，８３の手提げ穴８３ａ，８３ａの位置と、結び用突片８４，８４の切れ目８４ａ，８４ａの位置と、がゴミ袋８０の袋本体８１の深さ方向に沿って異なっている場合でも、袋本体８１に投入されたゴミ（図示せず）の重さなどは、手提げ部８３，８３並びに結び用突片８４，８４によって均等に支持することができる。
【００３８】
このように、ゴミ袋支持具１０をゴミ容器１に装着することにより、ゴミ容器１内に開口起立した状態に装着されたゴミ袋８０を安定に保持することができる。また、ゴミ袋８０とゴミ容器１の内周面との間に隙間が生じることがない。さらに、ゴミ容器１に対するゴミ袋支持具１０の着脱及びゴミ袋支持具１０に対するゴミ袋８０の着脱も容易である。
【００３９】
次に、図８〜図１０に基づいて、本考案の第２実施形態であるゴミ袋支持具２０について説明する。なお、後述する図８〜図１０に示すゴミ袋支持具２０において、前述したゴミ袋支持具１０を構成する部分と共通する部分については図１〜図７中の符号と同符号を付して説明を省略することがある。
【００４０】
図８〜図１０に示すように、ゴミ袋支持具２０は、有底筒状のゴミ容器１の最大外径Ｄ２より大きい内径２１ｄを有し、ゴミ容器１の外周４を包囲するように装着可能な円形リング状の支持部２１と、支持部２１の上縁内周側に支持部２１の仮想中心軸線２１ｃに向かって突設された係止部２２と、支持部２１の外周に仮想中心軸線２１ｃを中心にして９０度ごとに設けられた４つのフック１２ａ，１２ａ，１２ｂ，１２ｂと、を備えている。
【００４１】
ゴミ袋支持具２０の使い方は限定しないが、図１０に示すように、係止部２２を上にした状態で、ゴミ容器１の周縁部６を支持部２１で包囲するようにしてゴミ袋支持具２０を周縁部６上に載置すると、係止部２２の下面がゴミ容器１の周縁部６に当接し、ゴミ袋支持具２０全体がゴミ容器１上に安定的に装着された状態となる。
【００４２】
この後、ゴミ容器１及びゴミ袋支持具２０に対し、図６〜図７に示すような手順に基づいてゴミ袋８０を装着すると、ゴミ袋８０はゴミ容器１の内部において起立し、開口部が開いた状態に保たれる。
【００４３】
このように、ゴミ袋支持具２０をゴミ容器１に装着することにより、ゴミ容器１内に開口起立した状態に装着されたゴミ袋８０を安定に保持することができる。また、ゴミ袋８０とゴミ容器１の内周面との間に隙間が生じることがない。さらに、ゴミ容器１に対するゴミ袋支持具２０の着脱及びゴミ袋支持具２０に対するゴミ袋８０の着脱も容易である。
【００４４】
次に、図１１〜図１６に基づいて、本考案のその他の実施形態であるゴミ袋支持具３０，４０，５０，６０，７０について説明する。なお、後述する図１１〜図１６に示すゴミ袋支持具３０，４０，５０，６０，７０において、前述したゴミ袋支持具１０を構成する部分と共通する部分については図１〜図７中の符号と同符号を付して説明を省略することがある。
【００４５】
図１１に示すゴミ袋支持具３０は、ゴミ容器（図示せず）の外周を包囲するように装着可能な円筒状の支持部３１を備え、支持部３１の外周に複数のフック１２ａ，１２ｂが設けられている。フック１２ａは、支持部３１の下方の端面２１ａ寄りの部分に仮想中心軸線３１ｃを中心に９０度間隔で配置され、フック１２ｂは、支持部３１の上方の端面２１ｂ寄りの部分に仮想中心軸線３１ｃを中心に９０度間隔で配置されている。
【００４６】
ゴミ袋支持具３０においては、４つのフック１２ｂと、４つのフック１２ａと、が、支持部３１の高さ方向（仮想中心軸線３１ｃと平行方向）に沿って上下２段配置されているので、サイズの異なるゴミ袋や、手提げ部の長さと結び用突片の長さが大きく異なるゴミ袋の装着適応性が良好である。
【００４７】
次に、図１２に示すゴミ袋支持具４０は、ゴミ容器（図示せず）の外周を包囲するように装着可能な短円筒状の支持部４１を備え、支持部４１の上方の端面４１ｂに仮想中心軸線４１ｃ方向に突出する一対の舌片部４２，４２が仮想中心軸線４１ｃを挟んで対向する位置に設けられている。
【００４８】
支持部４１の外周には４つのフック１２ａが仮想中心軸線４１ｃを中心に９０度間隔で配置され、仮想中心軸線４１ｃを挟んで対向する二つのフック１２ａと同位相をなす位置に設けられた舌片部４２，４２の外面にはそれぞれフック１２ｂが配置されている。
【００４９】
ゴミ袋支持具４０においては、２つのフック１２ｂと、４つのフック１２ａと、が、支持部４１の高さ方向（仮想中心軸線４１ｃと平行方向）に沿って上下２段配置されているので、手提げ部の長さと結び用突片の長さが大きく異なるゴミ袋の装着適応性が良好である。
【００５０】
次に、図１３に示すゴミ袋支持具５０は、有底四角筒形状のゴミ容器（図示せず）の外周を包囲するように装着可能な正方形枠状の支持部５１を備え、支持部５１の外周に複数のフック１２ａ，１２ｂが設けられている。フック１２ａは、支持部５１の下方の端面５１ａ寄りの部分に支持部５１の周方向に沿って１８０度間隔で配置され、フック１２ｂは、支持部５１の上方の端面５１ｂ寄りの部分に支持部５１の周方向に沿って１８０度間隔で配置されている。
【００５１】
ゴミ袋支持具５０は、正方形枠状の支持部５１を備えているため、横断面が正方形状をなすような有底四角筒形状のゴミ容器（図示せず）に対する装着性が良好である。
【００５２】
次に、図１４に示すゴミ袋支持具６０は、有底四角筒形状のゴミ容器（図示せず）の外周を包囲するように装着可能な長方形枠状の支持部６１を備え、支持部６１の外周に複数のフック１２ａ，１２ｂが設けられている。フック１２ａは、支持部６１の下方の端面６１ａ寄りの部分に支持部６１の周方向に沿って１８０度間隔で配置され、フック１２ｂは、支持部６１の上方の端面６１ｂ寄りの部分に支持部６１の周方向に沿って１８０度間隔で配置されている。
【００５３】
ゴミ袋支持具６０は、長方形枠状の支持部６１を備えているため、横断面が長方形状をなすような有底四角筒形状のゴミ容器（図示せず）に対する装着性が良好である。
【００５４】
次に、図１５，図１６に示すように、ゴミ袋支持具７０は、有底筒状のゴミ容器１の最大外径Ｄ２より大きい内径７１ｄを有し、ゴミ容器１の外周４を包囲するように装着可能な円形リング状の支持部７１と、支持部７１の上縁内周側に支持部７１の仮想中心軸線７１ｃに向かって突設された係止部７２と、支持部７１の外周に仮想中心軸線７１ｃを中心にして９０度ごとに設けられた４つのクリップ７３と、を備えている。
【００５５】
クリップ７３は、支軸７３ｃを介して支持部７１の外周に取り付けられ、支軸７３ｃを中心にシーソー状に起伏可能である。挟持部７３ａは支持部７１の上縁側に位置し、操作部７３ｂは支持部７１の下縁側に位置している。クリップ７３に内蔵されたバネ（図示せず）により、挟持部７３ａは支持部７１の外周を押圧するように付勢されている。支持部７１の外周において挟持部７３ａと接触する部分並びに挟持部７３ａにおいて支持部７１の外周と接触する面には滑り止めのための凹凸部（図示せず）が設けられている。
【００５６】
操作部７３ｂを支持部７１の外周に向かって押圧したり、押圧を解除したりすると、挟持部７３ａが支持部７１の外周から離隔したり、接触したりするので、後述するように、支持部７１の外周と挟持部７３ａとの間にゴミ袋８５の開口部８６近傍を着脱可能に挟持することができる。
【００５７】
ゴミ袋支持具７０の用途は限定しないが、図１６に示すゴミ袋８５のように、手提げ部や結び用突片が開口部８６に存在しないゴミ袋をゴミ容器１に装着する場合などに好適である。ゴミ袋支持具７０を使用する場合、図１５，図１６に示すように、係止部７２を上にした状態で、ゴミ容器１の周縁部６を支持部７１で包囲するようにして、ゴミ袋支持具７０を周縁部６上に載置すると、係止部７２の下面がゴミ容器１の周縁部６に当接し、ゴミ袋支持具７０全体がゴミ容器１上に安定的に装着された状態となる。
【００５８】
この後、図１６に示すように、ゴミ容器１の内部にゴミ袋８５を開口起立した状態に装着し、ゴミ袋８５の開口部８５ａの近傍をゴミ容器１の外側に拡げるとともに下方へ折り返し、ゴミ袋支持具７０の支持部７１の外周を開口部８５ａで包囲し、４つのクリップ７３の操作部７３ｂをそれぞれ操作して、挟持部７３ａと支持部７１の外周との間に開口部８５ａの近傍を挟持すれば、装着が完了し、ゴミ袋８５はゴミ容器１の内部において起立し、開口部８５ａが開いた状態に保たれる。
【００５９】
このように、ゴミ袋支持具７０をゴミ容器１に装着することにより、ゴミ容器１内に開口起立した状態に装着されたゴミ袋８５を安定に保持することができる。また、ゴミ袋８５とゴミ容器１の内周面との間に隙間が生じることがなく、ゴミ容器１に対するゴミ袋支持具７０の着脱及びゴミ袋支持具７０に対するゴミ袋８５の着脱も容易である。
【００６０】
なお、図１〜図１６に基づいて説明したゴミ袋支持具１０，２０，３０，４０，５０，６０，７０は、本考案に係るゴミ袋支持具を例示するものであり、本考案に係るゴミ袋支持具は、前述したゴミ袋支持具１０，２０，３０，４０，５０，６０，７０に限定されない。
【産業上の利用可能性】
【００６１】
本考案に係るゴミ袋支持具は、一般家庭、飲食店などに配備されているゴミ容器にゴミ袋を装着する場合に広く利用することができる。
【符号の説明】
【００６２】
１  ゴミ容器
２  底面
３  開口部
４  外周面
５  蓋体
６  周縁部
１０，２０，３０，４０，５０，６０，７０  ゴミ袋支持具
１１，２１，３１，４１，５１，６１，７１  支持部
１１ａ，１１ｂ  端面
１１ｃ，７１ｃ  仮想中心軸線
１１ｄ，７１ｄ  内径
１１ｅ  内周面
１１ｓ  切れ目
２２，７２  係止部
４２  舌片部
７３  クリップ
７３ａ  挟持部
７３ｂ  操作部
７３ｃ  支軸
８０，８５  ゴミ袋
８１  袋本体
８２，８６  開口部
８２ａ  周縁部
８３  手提げ部
８３  手提げ穴
８４  結び用突片
８４ａ  切れ目
８４ｂ  結び目
８５  底部
Ｄ１  最小外径
Ｄ２  最大外径
【図１】
0003220678.tif 000003
【図２】
0003220678.tif 000004
【図３】
0003220678.tif 000005
【図４】
0003220678.tif 000006
【図５】
0003220678.tif 000007
【図６】
0003220678.tif 000008
【図７】
0003220678.tif 000009
【図８】
0003220678.tif 000010
【図９】
0003220678.tif 000011
【図１０】
0003220678.tif 000012
【図１１】
0003220678.tif 000013
【図１２】
0003220678.tif 000014
【図１３】
0003220678.tif 000015
【図１４】
0003220678.tif 000016
【図１５】
0003220678.tif 000017
【図１６】
0003220678.tif 000018
【図１７】
0003220678.tif 000019